(57)【要約】【課題】光チャネルモニタが光強度測定を行う測定波長の校正のために入力光をリファレンス光として用いる場合に、入力光にピーク波長がない状態で校正を行うことによる誤差の増大を防止する。【解決手段】制御装置１７は、入力光のピーク波長が検出されない場合に、光チャネルモニタ１６の測定波長の校正を停止させる校正停止部２０と、所定強度以上の入力光が検出される場合に入力光のピーク波長の有無を判断する判断部２１と、判断部（２１）によりピーク波長が有ると判断される場合に、停止した測定波長の校正の開始を許可する校正許可部２２を備える。【選択図】図１
2014147049.tif 000002
【特許請求の範囲】
【請求項１】
光チャネルモニタの制御装置であって、
入力光のピーク波長が検出されない場合に、前記光チャネルモニタが光強度測定を行う測定波長の校正を停止させる校正停止部と、
所定強度以上の入力光が検出される場合に入力光のピーク波長の有無を判断する判断部と、
前記判断部によりピーク波長が有ると判断される場合に、停止した測定波長の校正の開始を許可する校正許可部と、
を備えることを特徴とする制御装置。
【請求項２】
前記光チャネルモニタは第１光伝送装置の入力光に含まれる光信号の光強度を測定し、
前記判断部は、前記第１光伝送装置以外の第２光伝送装置から送信され、該第２光伝送装置が前記第１光伝送装置への光信号の伝送を通知する通知信号に基づいて、入力光のピーク波長の有無を判断することを特徴とする請求項１に記載の制御装置。
【請求項３】
前記判断部は、前記通知信号と、前記第１光伝送装置の伝送対象の光信号の波長情報に基づいて、入力光のピーク波長の有無を判断することを特徴とする請求項２に記載の制御装置。
【請求項４】
前記判断部は、所定強度以上の入力光が検出される場合に前記光チャネルモニタを用いて入力光のピーク波長を検出することを特徴とする請求項１に記載の制御装置。
【請求項５】
光伝送装置であって、
光チャネルモニタと、制御装置と、を備え、
前記制御装置は、
入力光のピーク波長が検出されない場合に、前記光チャネルモニタが光強度測定を行う測定波長の校正を停止させる校正停止部と、
所定強度以上の入力光が検出される場合に入力光のピーク波長の有無を判断する判断部と、
前記判断部によりピーク波長が有ると判断される場合に、停止した測定波長の校正の開始を許可する校正許可部と、
を備えることを特徴とする光伝送装置。
【請求項６】
光チャネルモニタの制御方法であって、
入力光のピーク波長が検出されない場合に、前記光チャネルモニタが光強度測定を行う測定波長の校正を停止させる校正停止ステップと、
所定強度以上の入力光が検出される場合に入力光のピーク波長の有無を判断する判断ステップと、
前記判断ステップによりピーク波長が有ると判断される場合に、停止した測定波長の校正の開始を許可する校正許可ステップと、
を備えることを特徴とする制御方法。
【発明の詳細な説明】
【技術分野】
【０００１】
本明細書で論じられる実施態様は、光チャネルモニタの制御装置、光伝送装置及び光チャネルモニタの制御方法に関する。
【背景技術】
【０００２】
波長分割多重（ＷＤＭ:Wavelength Division Multiplexing）信号光等の信号光を伝送する光伝送装置には、光チャネルモニタ（ＯＣＭ：Optical Chanel Monitor）を搭載するものがある。ＯＣＭは、信号光に含まれる１波以上光信号の光強度を監視する。
【０００３】
ＯＣＭが故障すると光信号の光強度の調整ができなくなり、光伝送装置に障害が発生する。例えば、基幹系光通信システムに使用される光伝送装置の障害が発生すると、広範囲に亘る通信障害を招来するおそれがある。
【０００４】
なお、光入力をＴＭモード光とＴＥモード光とに分岐する第１の偏光手段と、分岐したＴＭモード光を導波する第１の光導波路とＴＥモード光を導波する第２の光導波路とにＲＦ信号を印加するＲＦ信号印加手段を備える可変波長選択フィルタが知られている。可変波長選択フィルタは、可変波長選択フィルタからの出力の光強度を検出する光強度検出手段を備える。可変波長選択フィルタは、ＲＦ信号発生手段により発生するＲＦ信号の周波数を変えながら光強度検出手段から光強度を受信して所定波長の光信号に対する光強度の最大値を判別する最大値判別手段を備える。可変波長選択フィルタは、最大値判別手段によって判別された光強度の最大値を与える周波数のＲＦ信号を発生するようにＲＦ信号発生手段を制御する周波数制御手段を備える（例えば特許文献１参照）。
【０００５】
光信号の波長範囲を含む範囲で、検出波長を周期的に掃引する波長掃引工程と、検出波長と光信号の波長との差が予め定められた値以下となったことを検出する検出工程を含む波長検出方法が知られている（例えば特許文献２参照）。波長検出方法は、検出工程において、予め定められた値以下となった時点における光信号のパワーを検出するパワー検出工程と、パワー検出工程で得られる波長成分毎のパワーの情報に基づき、光増幅器の励起の強さを調整する制御工程を含む。
【０００６】
光信号の経路を２経路の何れかに切り替える光スイッチと、２経路に接続される入射導波路、及び入射導波路からの入射位置又は入射角度が異なるように接続されたスラブ導波路を有し波長分離を行うアレイ導波路回折格子を備える光信号検出装置が知られている。光信号検出装置は、アレイ導波路回折格子からの光信号を電気信号に変換する検出器を備える。光信号検出装置は、光信号が一方の入射導波路を通過して検出器で変換された電気信号と、同一の光信号が他方の入射導波路を通過して検出器で変換された電気信号から信号強度を算出する演算回路を備える（例えば特許文献３参照）。
【０００７】
また、監視信号光を復調してチャネル数変化を識別した場合にレベル制御（ＡＬＣ:Automatic Level Control）および利得一定制御（ＡＧＣ:Automatic Gain Control）を行うことが知られている（例えば特許文献４参照）。
【０００８】
光チャネルモニタ部を備える波長選択スイッチが知られている。光チャネルモニタ部は、波長多重信号の短波長側と長波長側の少なくとも一方の側で自然放出（ＡＳＥ: Amplified Spontaneous Emission）光の一部を検出するＡＳＥ光検出部を備える。光チャネルモニタ部は、検出されたＡＳＥ光の中心の基準波長からのずれ量を算出するＡＳＥ光信号処理部を有する。経路制御部は、ずれ量に基づいてスイッチング素子配列に対する各波長の光の入射位置を相対的にシフトさせる駆動部を含む（例えば特許文献５参照）。
【０００９】
光ネットワーク内で通信される光信号の分散の監視及び補償を行う方法が知られている。この方法は、複数のチャネルを有する光信号を受信するステップと、複数のチャネルから１つのチャネルの部分をフィルタリングするステップと、部分を分析して前記部分の光学分散を測定するステップを有する。この方法は、測定された分散に基づいて光学分散を補償するステップを有する（例えば特許文献６参照）。
【００１０】
伝送路の光レベルの変動中に光チャネルモニタで測定したデータの誤差が大きくなった場合に、装置の誤動作を未然に防止する光チャネルモニタのデータ収集方法が知られている。この方法は、掃引中の光チャネルモニタへの全信号光の光パワーレベルを監視し、予め設定された閾値以上のレベル変動を検知した場合、光チャネルモニタから収集した、各チャネルの光パワー情報およびトータル光パワー情報を廃棄し、前値保持する（例えば特許文献７参照）。
【００１１】
ＷＤＭ伝送システムに適用される光増幅装置について、ＷＤＭ伝送路に伝搬される複数波長の信号光を波長毎に制御することが知られている（例えば特許文献８参照）。
【先行技術文献】
【特許文献】
【００１２】
【特許文献１】特開２０００−２４１７８２号公報
【特許文献２】特開２００１−６９０８６号公報
【特許文献３】特開２０１０−２２６５８７号公報
【特許文献４】特開２００７−３１２１５５号公報
【特許文献５】特開２０１２−１４１４７８号公報
【特許文献６】特開２０１１−１０１３６５号公報
【特許文献７】特開２００９−１５２９６７号公報
【特許文献８】特開２００６−２８６９１８号公報
【発明の概要】
【発明が解決しようとする課題】
【００１３】
ＯＣＭは、光信号が存在する波長の光を選択し、選択された光の光強度を測定する。複数の波長の光信号の光強度を監視する場合には、ＯＣＭの設定パラメータの値を変化させることにより測定が行われる波長を変化させ、各波長の光強度を順次測定する。
【００１４】
ＯＣＭが測定を行う波長には、時間経過に伴う素子の特性変化に起因する変動が発生する。このため、測定が行われる波長の校正が行われ、校正には既知の波長のリファレンス光が用いられる。リファレンス光としては、特定の光源により生成された光や、予め波長が知られている光信号などが使用される。後者は、例えばＷＤＭ信号光が使用される。
【００１５】
既知の波長の光信号をリファレンス光として使用する場合、何らかの障害により光信号が入力されない状態や、ＡＳＥ光が入力される状態などが生じることがある。このような場合では、入力光のピーク波長がない状態、すなわち入力光のスペクトル強度のピークが発生しない状態が発生する。このような状態で校正が行われると、むしろ校正により波長の誤差が増大する恐れがある。
【００１６】
本明細書に開示される装置又は方法は、ＯＣＭが光強度を測定する波長の校正のために入力光をリファレンス光として用いる場合に、入力光にピーク波長がない状態で校正を行うことによる誤差の増大を防止すること目的とする。
【課題を解決するための手段】
【００１７】
装置の一観点によれば、光チャネルモニタの制御装置が与えられる。制御装置は、入力光のピーク波長が検出されない場合に、光チャネルモニタが光強度測定を行う測定波長の校正を停止させる校正停止部と、所定強度以上の入力光が検出される場合に入力光のピーク波長の有無を判断する判断部と、判断部によりピーク波長が有ると判断される場合に、停止した測定波長の校正の開始を許可する校正許可部を備える。
【発明の効果】
【００１８】
本明細書に開示される装置又は方法によれば、ＯＣＭが光強度を測定する波長の校正のために入力光をリファレンス光として用いる場合に、入力光にピーク波長がない状態で校正を行うことにより誤差が増大することを防止できる。
【図面の簡単な説明】
【００１９】
【図１】光伝送装置の第１例の構成図である。
【図２】ＯＣＭ制御部の一例の構成図である。
【図３】ＯＣＭ部の状態遷移図である。
【図４】光伝送装置によるスキャン停止処理の一例の説明図である。
【図５】光伝送装置によるスキャン許可処理の一例の説明図である。
【図６】光伝送装置の動作の第１例の説明図である。
【図７】光伝送装置の第２例の構成図である。
【図８】光伝送装置の動作の第２例の説明図である。
【図９】光伝送装置の第３例の構成図である。
【図１０】光伝送装置の動作の第３例の説明図である。
【発明を実施するための形態】
【００２０】
＜１．第１実施例＞
以下、添付する図面を参照して好ましい実施例について説明する。図１は、光伝送装置の第１例の構成図である。光伝送システム１は、光伝送装置１０及び光伝送装置１００を備える。なお、図１の構成図は、本明細書において説明される機能に関係する構成を中心に示している。光伝送装置１０及び光伝送装置１００は、図示の構成要素以外の他の構成要素を含んでいてよい。図７及び図９においても同様である。
【００２１】
光伝送装置１０及び光伝送装置１００は、光ファイバ等の光伝送路２及び３で接続される。光伝送路２は、光伝送装置１００から光伝送装置１０へ送信される光信号を伝送する。光伝送路３は、光伝送装置１０から光伝送装置１００へ送信される光信号を伝送する。図１において参照符号ＣＮは光コネクタを示す。図７及び図９においても同様である。
【００２２】
光伝送装置１０及び光伝送装置１００は、例えば、複数の光信号が波長分割多重されたＷＤＭ信号光を伝送する光伝送装置であってよい。すなわち光伝送装置１０に入力される信号光はＷＤＭ信号光であってよい。光伝送路２及び３はＷＤＭ信号光を伝送する光伝送路であってよい。
【００２３】
光伝送装置１０は、受信部１１及び１３と、送信部１２及び１４と、ビームスプリッタ１５と、ＯＣＭ部１６と、ＯＣＭ制御部１７と、伝送設定通知受信部１８を備える。伝送装置１００は、送信部１０１と、受信部１０２と、伝送設定通知送信部１０３を備える。
【００２４】
光伝送装置１００の送信部１０１は、光伝送路２を経由して光信号を光伝送装置１０へ送信する。光伝送装置１０の受信部１１は、伝送装置１００と受信部１１との間に光伝送路２に接続された光コネクタに入力される入力光を受信する。受信された光信号は、ビームスプリッタ１５を経由して送信部１２へ入力される。送信部１２は、光信号を不図示の他の光伝送装置へ送信する。
【００２５】
受信部１３は、他の光伝送装置から送信された光信号を受信する。受信された光信号は、送信部１４へ入力される。送信部１４は、光信号を光伝送装置１００へ送信する。光伝送装置１００の受信部１０２は、光伝送装置１０から送信された光信号を受信する。
【００２６】
ＯＣＭ部１６は、ビームスプリッタ１５で分岐された入力光の一方を受信する。ＯＣＭ部１６は、入力光に含まれる各波長の光信号の光強度を測定する。
【００２７】
また、ＯＣＭ部１６は、光強度を測定する波長を校正する。すなわち、ＯＣＭ部１６は、光強度のピークが生じる光信号の波長と、ＯＣＭ部１６が光強度を測定する波長を光信号の波長へ設定するための設定パラメータの値との間の対応関係を校正する。例えば、設定パラメータは、ＯＣＭ部１６が光強度を測定する波長を選択する波長可変フィルタ（Tunable Filter）の設定パラメータであってよい。以下の説明において、ＯＣＭ部１６が光強度を測定する波長を「測定波長」と表記することがある。
【００２８】
測定波長の校正の手順は、例えば以下の通りである。ＯＣＭ部１６は、校正の際に入力光をリファレンス光として用いる。また、ＯＣＭ部１６には、光信号の波長と、測定波長を光信号の波長に設定するための設定パラメータの値との間の対応関係が記憶される。
【００２９】
ＯＣＭ部１６は、校正の際に、設定パラメータの値を変更しながら入力光の各波長の光強度をスキャンする。光強度のピークが検出された場合に、ＯＣＭ部１６は、光信号の波長との間の対応関係が記憶された設定パラメータの値のうち、ピーク検出時の設定パラメータの値に最も近いものを特定する。
【００３０】
ＯＣＭ部１６は、特定した設定パラメータの値に対応付けて校正前に記憶されていた波長と、ピーク検出時の設定パラメータの値とを対応付けて記憶する。校正前に信号光の波長に対応付けられていた設定パラメータの値から、校正時にこの波長を検出した設定パラメータの値が大きく変わっていなければ、設定パラメータの値は正しく校正される。
【００３１】
ＯＣＭ部１６、スキャンにより検出されるピーク波長に基づいて光信号の各波長の光強度の監視と測定波長の校正を同時に行ってもよい。また、ＯＣＭ部１６は、光信号の各波長の光強度の測定とは別個に測定波長の校正を行ってもよい。
【００３２】
このようにＯＣＭ部１６は、光伝送装置１０への入力光をリファレンス光として用いて測定波長の校正を行う。ここで、例えば光伝送装置１０へ光信号が入力されない場合や、光伝送装置１０へＡＳＥ光が入力される場合には、光伝送装置１０への入力光においてピーク波長が検出されない場合がある。
【００３３】
ピーク波長が検出されない期間に測定波長の校正を行うと、ＯＣＭ部１６が設定パラメータの値に対応付けて記憶している波長と実際の測定波長との間の誤差が生じ、この誤差が光信号間の波長間隔よりも大きくなるおそれがある。
【００３４】
この場合、ある波長の信号光が実際に測定される設定パラメータの値が、この光信号に対応付けられる設定パラメータの値よりも、他の光信号に対応付けられる設定パラメータの値に近くなることがある。こうなると、光信号が入力されても測定波長の校正ができなくなる。
【００３５】
このため、ＯＣＭ制御部１７は、光伝送装置１０への入力光においてピーク波長が検出されない場合には、測定波長の校正のための光強度のスキャンを停止させる。また、ＯＣＭ制御部１７は、スキャン停止後に、光伝送装置１０への入力光においてピーク波長があると判断した場合に、測定波長の校正のための光強度のスキャンを許可する。ＯＣＭ制御部１７は、例えば、ＣＰＵ（Central Processing Unit）やＭＰＵ（Micro-Processing Unit）等及びメモリを備える制御回路や、論理回路を備える制御回路等のハードウエアによって実現されてよい。
【００３６】
図２は、ＯＣＭ制御部１７の一例の構成図である。ＯＣＭ制御部１７は、スキャン停止部２０と、判断部２１と、スキャン許可部２２を備える。スキャン停止部２０は、所定のスキャン停止条件が満たされる場合に、測定波長の校正のための光強度のスキャンを停止させるスキャン停止指示をＯＣＭ部１６へ出力する。例えば、スキャン停止部２０は、ＯＣＭ部１６が１波長分の光強度のピークも検出できない場合にスキャン停止指示をＯＣＭ部１６へ出力してよい。スキャン停止部２０およびスキャン許可部２２はそれぞれ校正停止部および校正許可部の一例である。
【００３７】
スキャン停止指示を受信したＯＣＭ部１６は、測定波長の校正のための光強度のスキャンを停止するスキャン停止状態に遷移する。光信号の瞬断によってＯＣＭ部１６が意図しないスキャン停止状態に遷移することを防ぐため、スキャン停止部２０は、所定回数Ｃのスキャンで連続してＯＣＭ部１６がピークを検出しない場合にスキャン停止指示を出力してもよい。
【００３８】
判断部２１は、測定波長の校正のための光強度のスキャンを許可するための所定のスキャン許可条件が満たされるか否かを判断する。例えば、以下の条件（１）及び（２）の両方が成立する場合に、スキャン許可条件が満たされる。
（１）１波以上の光信号のレベル以上の強度の光が受信部１１に入力されること。
（２）ＯＣＭ部１６への入力光にピーク波長があると判断されること。
【００３９】
上記条件（２）を条件（１）に加えたのは、ＡＳＥ光が１波以上の光信号のレベル以上の強度を有する場合を考慮し、ＡＳＥ光の入力強度だけで測定波長の校正が許可されることを防止するためである。
【００４０】
受信部１１に設けられたレベル検出部１９は、１波以上の光信号のレベル以上の光入力を検出した場合に、検出信号を判断部２１へ出力する。判断部２１は、１波以上の光信号のレベル以上の光入力が検出された場合にＯＣＭ部１６への入力光にピーク波長があるか否かを判断する。
【００４１】
例えば、判断部２１は、光伝送装置１００に１波以上の光信号を光伝送装置１０へ送信する伝送設定がされているか否かに応じてピーク波長の有無を判断してよい。光伝送装置１００の伝送設定通知送信部１０３は、伝送設定通知を定期的に光伝送装置１０へ送信する。伝送設定通知は、１波以上の光信号を光伝送装置１０へ送信する伝送設定がされていることを示す通知である。光伝送装置１０の伝送設定通知受信部１８は、伝送設定通知を受信する。
【００４２】
光伝送装置１００及び光伝送装置１０が同一のシェルフ内に設定される場合には、伝送設定通知送信部１０３及び伝送設定通知受信部１８は、シェルフ内の通信回線を経由した電気通信を用いて伝送設定通知を送受信してよい。伝送設定通知送信部１０３及び伝送設定通知受信部１８は、ＷＤＭ信号光等による光通信により伝送設定通知を送受信してもよい。光伝送装置１００及び光伝送装置１０は、１対１に自律的に伝送設定通知を送受信してもよく、中間の制御用装置を介して伝送設定通知を送受信してもよい。
【００４３】
伝送設定通知が受信された場合に、判断部２１は、スキャン許可条件が満たされると判断する。スキャン許可条件が満たされる場合に、スキャン許可部２２は、測定波長の校正のための光強度のスキャンを許可するスキャン許可指示をＯＣＭ部１６へ出力する。スキャン許可指示を受信したＯＣＭ部１６は、測定波長の校正のための光強度のスキャンを行うスキャン可能状態に遷移する。入力光のレベルが不安定な状態でＯＣＭ部１６がスキャン可能状態に遷移すると、スキャン停止状態とスキャン可能状態の間で遷移が繰りかえされる恐れがある。これを防ぐため、スキャン許可部２２は、スキャン許可条件が満たされる状態が所定期間Ｐの間継続するまでスキャン許可指示の出力を待ってもよい。
【００４４】
図３は、ＯＣＭ部１６の状態遷移図である。ＯＣＭ部１６は、スキャン可能状態２００にある場合に測定波長の校正のための光強度のスキャンを定期的に実行する。スキャン停止条件が満たされると、ＯＣＭ部１６は、スキャン可能状態２００からスキャン停止状態２０１へ遷移する。ＯＣＭ部１６は、スキャン停止状態２０１にある場合に測定波長の校正のための光強度のスキャンを停止する。
【００４５】
スキャン停止条件が満たされると、ＯＣＭ部１６はスキャン停止状態２０１からスキャン可能状態２００へ遷移する。ＯＣＭ部１６は、スキャン可能状態２００に遷移すると測定波長の校正のための定期的な光強度のスキャンを再開する。
【００４６】
図４は、光伝送装置１０によるスキャン停止処理の一例の説明図である。図４を参照して説明する動作は複数の手順を含む方法と解釈してもよい。この場合に「オペレーション」を「ステップ」と読み替えてもよい。図５、図６、図８及び１０においても同様である。
【００４７】
オペレーションＡＡにおいてスキャン停止部２０は、ＯＣＭ部１６が光強度のピークを連続して検出しなかった回数をカウントするための変数であるピーク未検出回数Ｃｎの値を「０」にリセットする。
【００４８】
オペレーションＡＢにおいてＯＣＭ部１６は、測定波長の校正のための定期的な光強度のスキャンを実行する。オペレーションＡＣにおいてＯＣＭ部１６又はスキャン停止部２０は、１波以上のピークがあるか否かを判断する。１波以上のピークがある場合（オペレーションＡＣ：Ｙ）に処理はオペレーションＡＡに戻る。１波長分のピークもない場合（オペレーションＡＣ：Ｎ）に処理はオペレーションＡＤへ進む。
【００４９】
オペレーションＡＤにおいてスキャン停止部２０は、ピーク未検出回数Ｃｎの値を１つ増加させる。オペレーションＡＥにおいてスキャン停止部２０は、ピーク未検出回数Ｃｎの値が所定回数Ｃより大きいか否かを判断する。ピーク未検出回数Ｃｎの値が所定回数Ｃより大きい場合（オペレーションＡＥ：Ｙ）に処理はオペレーションＡＦへ進む。ピーク未検出回数Ｃｎの値が所定回数Ｃ以下の場合（オペレーションＡＥ：Ｎ）に処理はオペレーションＡＢへ戻る。
【００５０】
オペレーションＡＦにおいてスキャン停止部２０は、スキャン停止指示をＯＣＭ部１６へ出力する。ＯＣＭ部１６は、スキャン停止状態に遷移し、測定波長の校正のための定期的な光強度のスキャンを停止する。
【００５１】
図５は、光伝送装置１０によるスキャン許可処理の一例の説明図である。オペレーションＢＡにおいてスキャン許可部２２は、スキャン許可条件が成立する継続時間を記憶するための変数である許可条件保持期間Ｐｈの値を「０」にリセットする。
【００５２】
オペレーションＢＢにおいて判断部２１は、スキャン許可条件が満たされるか否かを判断する。スキャン許可条件が満たされる場合（オペレーションＢＢ：Ｙ）に処理はオペレーションＢＡへ戻る。スキャン許可条件が満たされない場合（オペレーションＢＢ：Ｎ）に処理はオペレーションＢＣへ進む。
【００５３】
オペレーションＢＣにおいてスキャン許可部２２は、許可条件保持期間Ｐｈの値が所定期間Ｐより大きいか否かを判断する。許可条件保持期間Ｐｈの値が所定期間Ｐより大きい場合（オペレーションＢＣ：Ｙ）に処理はオペレーションＢＤに進む。許可条件保持期間Ｐｈの値が所定期間Ｐ以下の場合（オペレーションＢＣ：Ｎ）に処理はオペレーションＢＢに戻る。
【００５４】
オペレーションＢＤにおいてスキャン許可部２２は、スキャン許可指示をＯＣＭ部１６へ出力する。ＯＣＭ部１６は、スキャン許可状態に遷移し、測定波長の校正のための定期的な光強度のスキャンを開始する。
【００５５】
図６は、光伝送装置１０の動作の第１例の説明図である。時刻ｔ１において通信障害の発生により光伝送装置１０へ光信号が入力されなくなった場合を想定する。オペレーションＣＡにおいてＯＣＭ部１６は、所定回数Ｃの連続するスキャンにおいてピーク波長を検出しない。このため、ＯＣＭ制御部１７はオペレーションＣＢにおいて、スキャン停止条件が成立したと判断する。
【００５６】
オペレーションＣＣにおいてＯＣＭ制御部１７はスキャン停止指示をＯＣＭ部１６へ出力する。この結果、ＯＣＭ部１６は、測定波長の校正のための定期的な光強度のスキャンを停止する。
【００５７】
時刻ｔ２において通信の復旧により再び光伝送装置１０へ光信号が入力される。オペレーションＣＤにおいてレベル検出部１９は、１波以上の光信号のレベル以上の強度の光入力の検出信号をＯＣＭ制御部１７へ出力する。
【００５８】
オペレーションＣＥにおいて光伝送装置１００は伝送設定通知を送信する。ＯＣＭ制御部１７は、１波以上の光信号のレベル以上の強度の光入力が検出され、且つ光伝送装置１００から伝送設定通知を受信した場合に、スキャン許可条件が成立したと判断する。オペレーションＣＦにおいて、ＯＣＭ制御部１７は、スキャン許可条件が満たされる状態が所定期間Ｐの間継続するか否かを判断する。
【００５９】
スキャン許可条件が満たされる状態が所定期間Ｐの間継続する場合に、オペレーションＣＧにおいてＯＣＭ制御部１７はスキャン許可指示をＯＣＭ部１６へ出力する。この結果、ＯＣＭ部１６は、測定波長の校正のための定期的な光強度のスキャンを開始する。
【００６０】
本実施例によれば、入力光をリファレンス光に用いて測定波長を校正する場合に、入力光にピーク波長がない状態で校正を行うことにより測定波長の誤差が増大することが回避できる。例えば、ＯＣＭ部１６が設定パラメータの値に対応付けて記憶している波長と実際の測定波長との間の誤差が、測定波長の校正ができなくなるほど増大するのを回避できる。
【００６１】
このため、入力光にピーク波長がない状態の発生によるＯＣＭ部１６の故障を回避できる。この結果、ＯＣＭ部１６の可用性を向上することができ、ＯＣＭが不能になることによる光伝送装置１０の障害機会を低減することができる。例えば、光伝送装置１０が基幹系光通信の伝送装置である場合に、光伝送装置１０の障害による広範囲に亘る通信障害の機会が低減される。
【００６２】
＜２．第２実施例＞
続いて、光伝送装置１０の他の実施例について説明する。図７は、光伝送装置１０の第２例の構成図である。図１を参照して説明した構成要素と同様の構成要素は同一の参照符号で示し、同様の機能については説明を省略する。
【００６３】
光伝送装置１０は、波長選択スイッチ（ＷＳＳ:Wavelength Selective Switch）１５と、伝送設定指定部３１を備える。ＷＳＳ１５は、光伝送装置１０に入力される光信号のうち光伝送装置１０の伝送の対象となる波長の光信号を選択する。伝送設定指定部３１は、光伝送装置１０の伝送の対象となる光信号の波長を指定する設定情報である伝送設定を記憶する。
【００６４】
ＷＳＳ１５は、伝送設定指定部３１に記憶される光伝送装置１０の伝送設定に基づいて、光伝送装置１０に入力されるいずれかの波長の光信号を選択して、ビームスプリッタ１５に入力する。
【００６５】
ＯＣＭ部１６の前段にＷＳＳ１５がある構成では、光伝送装置１０と光伝送装置１００の間で伝送設定が相違する場合に、光伝送装置１００から光信号が送信されても、ＯＣＭ部１６の入力光に光信号が含まれなくなる場合がある。この場合には、ＯＣＭ部１６の入力光がピーク波長を含まないおそれがある。
【００６６】
このため、判断部２１は、スキャン許可条件の上記条件（２）の成否判断において、光伝送装置１０の伝送設定で設定される波長と光伝送装置１００の伝送設定で設定される波長に共通する波長があるか否かを判断する。共通する波長がある場合に、判断部２１はＯＣＭ部１６への入力光にピーク波長があると判断する。共通する波長がない場合に、判断部２１はＯＣＭ部１６への入力光にピーク波長がないと判断する。
【００６７】
図８は、光伝送装置１０の動作の第２例の説明図である。時刻ｔ１において通信障害の発生により光伝送装置１０へ光信号が入力されなくなる。オペレーションＤＡ〜ＤＣの動作は、図６に示すオペレーションＣＡ〜ＣＣの動作と同様である。
【００６８】
時刻ｔ２において通信の復旧により再び光伝送装置１０へ光信号が入力される。オペレーションＤＤ及びＤＥの動作は、図６に示すオペレーションＣＤ及びＣＥの動作と同様である。オペレーションＤＦにおいてＯＤＭ制御部１７の判断部２１は、伝送設定指定部３１から光伝送装置１０の伝送設定を受信する。
【００６９】
ＯＣＭ制御部１７は、１波以上の光信号のレベル以上の強度の光入力が検出され、且つ光伝送装置１０及び１００で設定される波長の間に共通する波長がある場合に、スキャン許可条件が成立したと判断する。オペレーションＤＧ及びＤＨの動作は、図６に示すオペレーションＣＦ及びＣＧの動作と同様である。
【００７０】
本実施例によれば、光伝送装置１０の伝送対象波長を選択するＷＳＳ１５がＯＣＭ部１６の前段にあり、光伝送装置１０及び１００の間の伝送設定の相違により入力光に光信号が含まれない場合に、ＯＣＭ部１６の校正を停止できる。
【００７１】
＜３．第３実施例＞
続いて、光伝送装置１０の他の実施例について説明する。図９は、光伝送装置１０の第３例の構成図である。図１を参照して説明した構成要素と同様の構成要素は同一の参照符号で示し、同様の機能については説明を省略する。
【００７２】
レベル検出部１９から１波以上の光信号のレベル以上の光入力の検出信号を検出した場合に、判断部２１は、ＯＣＭ部１６にピーク検出指示を出力する。ピーク検出指示は、測定波長の校正を行わずに入力光のスペクトル強度のピークをＯＣＭ部１６に検出させる指示である。
【００７３】
判断部２１は、スキャン許可条件の上記条件（２）の成否判断において、ピーク検出指示に応じてＯＣＭ部１６が入力光のスペクトル強度のピークを検出した場合にＯＣＭ部１６への入力光にピーク波長があると判断する。判断部２１は、ＯＣＭ部１６が入力光のスペクトル強度のピークを検出しない場合にＯＣＭ部１６への入力光にピーク波長がないと判断する。
【００７４】
判断部２１は、ＯＣＭ部１６により入力光にピーク波長があるか否かを判断することができるため、光伝送装置１００の伝送設定通知を受けなくともよい。本実施例では、図１の伝送設定通知受信部１８を省略してもよい。
【００７５】
また、光伝送装置１０の本来の伝送対象の光信号と異なる波長に生じたピークをＯＣＭ部１６が検出する恐れがある。このため、図７の伝送設定指定部３１を第３実施例の光伝送装置１０に設け、判断部２１が、ＯＣＭ部１６のピーク検出波長と光伝送装置１０の伝送設定とを比較してもよい。
【００７６】
判断部２１は、光伝送装置１０の伝送設定で指定された波長とＯＣＭ部１６のピーク検出波長との間に共通の波長がある場合に、ＯＣＭ部１６への入力光にピーク波長があると判断してよい。判断部２１は、共通の波長がない場合に、ＯＣＭ部１６への入力光にピーク波長がないと判断してよい。
【００７７】
図１０は、光伝送装置１０の動作の第３例の説明図である。時刻ｔ１において通信障害の発生により光伝送装置１０へ光信号が入力されなくなる。オペレーションＥＡ〜ＥＣの動作は、図６に示すオペレーションＣＡ〜ＣＣの動作と同様である。
【００７８】
時刻ｔ２において通信の復旧により再び光伝送装置１０へ光信号が入力される。オペレーションＥＤの動作は、図６に示すオペレーションＣＤの動作と同様である。オペレーションＥＥにおいてＯＣＭ制御部１７は、ＯＣＭ部１６にピーク検出指示を出力する。
【００７９】
オペレーションＥＦにおいてＯＣＭ部１６は、入力光のスペクトル強度のピークの有無を通知するピーク検出通知をＯＣＭ制御部１７に通知する。ピーク検出通知は、検出したピークの波長に関する情報を含んでいてもよい。
【００８０】
ＯＣＭ制御部１７は、１波以上の光信号のレベル以上の強度の光入力が検出され、且つＯＣＭ部１６が入力光のスペクトル強度のピークを検出した場合に、スキャン許可条件が成立したと判断する。オペレーションＥＧ及びＥＨの動作は、図６に示すオペレーションＣＦ及びＣＧの動作と同様である。
【００８１】
本実施例によれば、光伝送装置１００の伝送設定通知が到来する前に、ＯＣＭ部１６への入力光にピーク波長があるか否かを判断することができる。このため測定波長の校正を早期に再開することができる。例えば、光信号の各波長の光強度の監視と測定波長の校正を同時に行う光伝送装置の場合には、信号の各波長の光強度の監視を早期に再開することができる。
【００８２】
以上の実施例を含む実施形態に関し、更に以下の付記を開示する。
（付記１）
光チャネルモニタの制御装置であって、
入力光のピーク波長が検出されない場合に、前記光チャネルモニタが光強度測定を行う測定波長の校正を停止させる校正停止部と、
所定強度以上の入力光が検出される場合に入力光のピーク波長の有無を判断する判断部と、
前記判断部によりピーク波長が有ると判断される場合に、停止した測定波長の校正の開始を許可する校正許可部と、
を備えることを特徴とする制御装置。
（付記２）
前記光チャネルモニタは第１光伝送装置の入力光に含まれる光信号の光強度を測定し、
前記判断部は、前記第１光伝送装置以外の第２光伝送装置から送信され、前期第２光伝送装置が前記第１光伝送装置への光信号の伝送を通知する通知信号に基づいて、入力光のピーク波長の有無を判断することを特徴とする付記１に記載の制御装置。
（付記３）
前記判断部は、前記通知信号と、前記第１光伝送装置の伝送対象の光信号の波長情報に基づいて、入力光のピーク波長の有無を判断することを特徴とする付記２に記載の制御装置。
（付記４）
前記判断部は、前記第２光伝送装置から伝送される光信号と前記第１光伝送装置の伝送対象の光信号との間に、共通する波長の信号があるか否かに応じて、入力光のピーク波長の有無を判断することを特徴とする付記３に記載の制御装置。
（付記５）
前記判断部は、所定強度以上の入力光が検出される場合に前記光チャネルモニタを用いて入力光のピーク波長を検出することを特徴とする付記１に記載の制御装置。
（付記６）
前記判断部は、前記光チャネルモニタにより検出されたピーク波長と、前記第１光伝送装置の伝送対象の光信号との間に、共通する波長の信号があるか否かに応じて、入力光のピーク波長の有無を判断することを特徴とする付記５に記載の制御装置。
（付記７）
光伝送装置であって、
光チャネルモニタと、制御装置と、を備え、
前記制御装置は、
入力光のピーク波長が検出されない場合に、前記光チャネルモニタが光強度測定を行う測定波長の校正を停止させる校正停止部と、
所定強度以上の入力光が検出される場合に入力光のピーク波長の有無を判断する判断部と、
前記判断部によりピーク波長が有ると判断される場合に、停止した測定波長の校正の開始を許可する校正許可部と、
を備えることを特徴とする光伝送装置。
（付記８）
光チャネルモニタの制御方法であって、
入力光のピーク波長が検出されない場合に、前記光チャネルモニタが光強度測定を行う測定波長の校正を停止させる校正停止ステップと、
所定強度以上の入力光が検出される場合に入力光のピーク波長の有無を判断する判断ステップと、
前記判断ステップによりピーク波長が有ると判断される場合に、停止した測定波長の校正の開始を許可する校正許可ステップと、
を備えることを特徴とする制御方法。
【符号の説明】
【００８３】
１    光伝送システム
２、３    光伝送路
１０、１００    光伝送装置
１１、１３、１０２    受信部
１２、１４、１０１    送信部
１５    ビームスプリッタ
１６    ＯＣＭ部
１７    ＯＣＭ制御部
１８    伝送設定通知受信部
１９    レベル検出部
１０３    伝送設定通知送信部
【図１】
2014147049.tif 000003
【図２】
2014147049.tif 000004
【図３】
2014147049.tif 000005
【図４】
2014147049.tif 000006
【図５】
2014147049.tif 000007
【図６】
2014147049.tif 000008
【図７】
2014147049.tif 000009
【図８】
2014147049.tif 000010
【図９】
2014147049.tif 000011
【図１０】
2014147049.tif 000012